【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  ユーザ装置と、第１のサービス提供装置と、前記第１のサービス提供装置とは異なる第２のサービス提供装置とを含む情報処理システムであって、
前記ユーザ装置が、
ネットワークを介して、前記第１のサービス提供装置から提供される第１のサービスの利用のための第１のサービスオブジェクトと、前記第２のサービス提供装置から提供される第２のサービスの利用のための第２のサービスオブジェクトとを取得する取得手段と、
前記取得手段で取得した前記第２のサービスオブジェクトに対してユーザ情報を設定する設定手段と、
前記第１のサービス提供装置の前記第１のサービスを利用するために、前記設定手段で設定された前記ユーザ情報を保持している前記第２のサービスオブジェクトを、前記第１のサービス提供装置に転送する転送手段と、
前記第１のサービスオブジェクトを介して、前記第１のサービス提供装置の前記第１のサービスを利用する第１のサービス利用手段とを備え、
前記第１のサービス提供装置が、
前記転送手段によって転送された、前記設定手段で設定された前記ユーザ情報を保持している前記第２のサービスオブジェクトを受信する受信手段と、
前記受信手段で受信された前記第２のサービスオブジェクトに基づいて、前記第２のサービス提供装置の第２のサービスを利用する第２のサービス利用手段とを備えることを特徴する情報処理システム。
【請求項２】  前記転送手段で転送された前記第２のサービスオブジェクトに保持されている前記ユーザ情報は、前記第１のサービス提供装置から参照不能であることを特徴とする請求項１に記載の情報処理システム。
【請求項３】  更に、少なくとも１つのサーバを備え、前記サーバが、
複数のサービス提供装置によって提供されるサービスオブジェクトを登録する登録手段と、
ユーザリクエストに基づいてサービスオブジェクトを検索する検索手段とを備えることを特徴とする請求項１に記載の情報処理システム。
【請求項４】  前記ユーザ装置は、前記取得手段で取得した前記第２のサービスオブジェクトを介して前記第２のサービス提供装置と通信することによりセッションＩＤを取得するＩＤ取得手段を更に備え、
前記転送手段は、前記ＩＤ取得手段により取得された前記セッションＩＤと前記ユーザ情報を保持している前記第２のサービスオブジェクトを前記第１のサービス提供装置に転送し、
前記第２のサービス利用手段は、前記転送手段によって転送された前記セッションＩＤと前記第２のサービスオブジェクトとに基づいて、前記第２のサービス提供装置の前記サービスを利用することを特徴とする請求項１に記載の情報処理システム。
【請求項５】  前記第２のサービスオブジェクトによって保持されている前記ユーザ情報は暗号化されていることを特徴とする請求項１に記載の情報処理システム。
【請求項６】  ネットワークを介して、第１のサービス提供装置から提供される第１のサービスの利用のための第１のサービスオブジェクトと、前記第１のサービス提供装置とは異なる第２のサービス提供装置から提供される第２のサービスの利用のための第２のサービスオブジェクトとを取得する取得手段と、
前記取得手段で取得した前記第２のサービスオブジェクトに対してユーザ情報を設定する設定手段と、
前記第１のサービス提供装置の前記第１のサービスを前記第１のサービスオブジェクトを介して利用するために、前記設定手段で設定された前記ユーザ情報を保持している前記第２のサービスオブジェクトを、前記第１のサービス提供装置に転送する転送手段と、
前記第１のサービスオブジェクトを介して、前記第１のサービス提供装置の前記第１のサービスを利用するサービス利用手段とを備え、
前記第１のサービス提供装置は、前記転送手段によって転送された、前記ユーザ情報を保持している前記第２のサービスオブジェクトを受信し、受信した前記第２のサービスオブジェクトに基づいて前記第２のサービス提供装置による前記第２のサービスを利用することを特徴する情報処理装置。
【請求項７】  前記取得手段は、前記第１のサービスオブジェクトが前記第２のサービス提供装置による前記第２のサービスを要求する場合に、前記第２のサービスオブジェクトを取得することを特徴とする請求項６に記載の情報処理装置。
【請求項８】  前記取得手段は、複数のサービス提供装置による複数のサービスオブジェクトを登録するサーバに対してアクセスし、前記サーバよりサービスオブジェクトを検索し、取得することを特徴とする請求項６に記載の情報処理装置。
【請求項９】  前記取得手段で取得した第２のサービスオブジェクトを介して前記第２のサービス提供装置と通信する通信手段と、
前記第２のサービス提供装置との間でセッションを行うためのセッションＩＤを取得するＩＤ取得手段とを更に備え、
前記転送手段は、前記セッションＩＤと前記ユーザ情報を保持している前記第２のサービスオブジェクトとを前記第１のサービス提供装置に転送し、
前記第２のサービス利用手段は、前記転送手段によって転送された前記セッションＩＤと前記第２のサービスオブジェクトとに基づいて、前記第２のサービス提供装置の前記サービスを利用することを特徴とする請求項６に記載の情報処理装置。
【請求項１０】  ユーザ装置と、第１のサービス提供装置と、前記第１のサービス提供装置とは異なる第２のサービス提供装置とを含む情報処理システムの制御方法であって、
前記ユーザ装置が、
ネットワークを介して、前記第１のサービス提供装置から提供される第１のサービスの利用のための第１のサービスオブジェクトと、前記第２のサービス提供装置から提供される第２のサービスの利用のための第２のサービスオブジェクトとを取得する取得工程と、
前記取得工程で取得した前記第２のサービスオブジェクトに対してユーザ情報を設定する設定工程と、
前記第１のサービス提供装置の前記第１のサービスを利用するために、前記設定工程で設定された前記ユーザ情報を保持している前記第２のサービスオブジェクトを、前記第１のサービス提供装置に転送する転送工程と、
前記第１のサービスオブジェクトを介して、前記第１のサービス提供装置の前記第１のサービスを利用する第１のサービス利用工程とを実行し、
前記第１のサービス提供装置が、
前記転送工程によって転送された、前記設定工程で設定された前記ユーザ情報を保持している前記第２のサービスオブジェクトを受信する受信工程と、
前記受信工程で受信された前記第２のサービスオブジェクトに基づいて、前記第２のサービス提供装置の第２のサービスを利用する第２のサービス利用工程とを実行することを特徴する情報処理システムの制御方法。
【請求項１１】  前記転送工程で転送された前記第２のサービスオブジェクトに保持されている前記ユーザ情報は、前記第１のサービス提供装置から参照不能であることを特徴とする請求項１０に記載の情報処理システムの制御方法。
【請求項１２】  前記システムは、更に、少なくとも１つのサーバを備え、前記サーバが、
複数のサービス提供装置によって提供されるサービスオブジェクトを登録する登録工程と、
ユーザリクエストに基づいてサービスオブジェクトを検索する検索工程とを実行することを特徴とする請求項１０に記載の情報処理システムの制御方法。
【請求項１３】  前記ユーザ装置は、更に、前記取得工程で取得した前記第２のサービスオブジェクトを介して前記第２のサービス提供装置と通信することによりセッションＩＤを取得するＩＤ取得工程を実行し、
前記転送工程では、前記ＩＤ取得工程により取得された前記セッションＩＤと前記ユーザ情報を保持している前記第２のサービスオブジェクトを前記第１のサービス提供装置に転送し、
前記第２のサービス利用工程では、前記転送工程によって転送された前記セッションＩＤと前記第２のサービスオブジェクトとに基づいて、前記第２のサービス提供装置の前記サービスを利用することを特徴とする請求項１０に記載の情報処理システムの制御方法。
【請求項１４】  前記第２のサービスオブジェクトによって保持されている前記ユーザ情報は暗号化されていることを特徴とする請求項１０に記載の情報処理システムの制御方法。
【請求項１５】  ネットワークを介して、第１のサービス提供装置から提供される第１のサービスの利用のための第１のサービスオブジェクトと、前記第１のサービス提供装置とは異なる第２のサービス提供装置から提供される第２のサービスの利用のための第２のサービスオブジェクトとを取得する取得工程と、
前記取得工程で取得した前記第２のサービスオブジェクトに対してユーザ情報を設定する設定工程と、
前記第１のサービス提供装置の前記第１のサービスを前記第１のサービスオブジェクトを介して利用するために、前記設定工程で設定された前記ユーザ情報を保持している前記第２のサービスオブジェクトを、前記第１のサービス提供装置に転送する転送工程と、
前記第１のサービスオブジェクトを介して、前記第１のサービス提供装置の前記第１のサービスを利用するサービス利用工程とを備え、
前記第１のサービス提供装置は、前記転送工程によって転送された、前記ユーザ情報を保持している前記第２のサービスオブジェクトを受信し、受信した前記第２のサービスオブジェクトに基づいて前記第２のサービス提供装置による前記第２のサービスを利用することを特徴する情報処理方法。
【請求項１６】  前記取得工程では、前記第１のサービスオブジェクトが前記第２のサービス提供装置による前記第２のサービスを要求する場合に、前記第２のサービスオブジェクトを取得することを特徴とする請求項１５に記載の情報処理方法。
【請求項１７】  前記取得工程では、複数のサービス提供装置による複数のサービスオブジェクトを登録するサーバに対してアクセスし、前記サーバよりサービスオブジェクトを検索し、取得することを特徴とする請求項１５に記載の情報処理方法。
【請求項１８】  前記取得工程で取得した第２のサービスオブジェクトを介して前記第２のサービス提供装置と通信する通信工程と、
前記第２のサービス提供装置との間でセッションを行うためのセッションＩＤを取得するＩＤ取得工程とを更に備え、
前記転送工程では、前記セッションＩＤと前記ユーザ情報を保持している前記第２のサービスオブジェクトとを前記第１のサービス提供装置に転送し、
前記第２のサービス利用工程では、前記転送工程によって転送された前記セッションＩＤと前記第２のサービスオブジェクトとに基づいて、前記第２のサービス提供装置の前記サービスを利用することを特徴とする請求項１５に記載の情報処理方法。
【請求項１９】  請求項１５乃至１８のいずれか１項に記載された情報処理方法をコンピュータに実行させるための制御プログラムを格納したことを特徴とするコンピュータ読み取り可能な記憶媒体。
【手続補正２】
【補正対象書類名】明細書
【補正対象項目名】００２２
【補正方法】変更
【補正の内容】
【００２２】
【課題を解決するための手段】
上記の目的を達成するための本発明の一態様による情報処理システムは以下の構成を備える。すなわち、
ユーザ装置と、第１のサービス提供装置と、前記第１のサービス提供装置とは異なる第２のサービス提供装置とを含む情報処理システムであって、
前記ユーザ装置が、
ネットワークを介して、前記第１のサービス提供装置から提供される第１のサービスの利用のための第１のサービスオブジェクトと、前記第２のサービス提供装置から提供される第２のサービスの利用のための第２のサービスオブジェクトとを取得する取得手段と、
前記取得手段で取得した前記第２のサービスオブジェクトに対してユーザ情報を設定する設定手段と、
前記第１のサービス提供装置の前記第１のサービスを利用するために、前記設定手段で設定された前記ユーザ情報を保持している前記第２のサービスオブジェクトを、前記第１のサービス提供装置に転送する転送手段と、
前記第１のサービスオブジェクトを介して、前記第１のサービス提供装置の前記第１のサービスを利用する第１のサービス利用手段とを備え、
前記第１のサービス提供装置が、
前記転送手段によって転送された、前記設定手段で設定された前記ユーザ情報を保持している前記第２のサービスオブジェクトを受信する受信手段と、
前記受信手段で受信された前記第２のサービスオブジェクトに基づいて、前記第２のサービス提供装置の第２のサービスを利用する第２のサービス利用手段とを備える。
【手続補正３】
【補正対象書類名】明細書
【補正対象項目名】００２３
【補正方法】変更
【補正の内容】
【００２３】
また、上記の目的を達成するための本発明の他の態様による情報処理装置は以下の構成を備える。すなわち、
ネットワークを介して、第１のサービス提供装置から提供される第１のサービスの利用のための第１のサービスオブジェクトと、前記第１のサービス提供装置とは異なる第２のサービス提供装置から提供される第２のサービスの利用のための第２のサービスオブジェクトとを取得する取得手段と、
前記取得手段で取得した前記第２のサービスオブジェクトに対してユーザ情報を設定する設定手段と、
前記第１のサービス提供装置の前記第１のサービスを前記第１のサービスオブジェクトを介して利用するために、前記設定手段で設定された前記ユーザ情報を保持している前記第２のサービスオブジェクトを、前記第１のサービス提供装置に転送する転送手段と、
前記第１のサービスオブジェクトを介して、前記第１のサービス提供装置の前記第１のサービスを利用するサービス利用手段とを備え、
前記第１のサービス提供装置は、前記転送手段によって転送された、前記ユーザ情報を保持している前記第２のサービスオブジェクトを受信し、受信した前記第２のサービスオブジェクトに基づいて前記第２のサービス提供装置による前記第２のサービスを利用する。
【手続補正４】
【補正対象書類名】明細書
【補正対象項目名】００２４
【補正方法】変更
【補正の内容】
【００２４】
更に、上記の目的を達成するための本発明の他の態様による情報処理システムの制御方法は、
ユーザ装置と、第１のサービス提供装置と、前記第１のサービス提供装置とは異なる第２のサービス提供装置とを含む情報処理システムの制御方法であって、
前記ユーザ装置が、
ネットワークを介して、前記第１のサービス提供装置から提供される第１のサービスの利用のための第１のサービスオブジェクトと、前記第２のサービス提供装置から提供される第２のサービスの利用のための第２のサービスオブジェクトとを取得する取得工程と、
前記取得工程で取得した前記第２のサービスオブジェクトに対してユーザ情報を設定する設定工程と、
前記第１のサービス提供装置の前記第１のサービスを利用するために、前記設定工程で設定された前記ユーザ情報を保持している前記第２のサービスオブジェクトを、前記第１のサービス提供装置に転送する転送工程と、
前記第１のサービスオブジェクトを介して、前記第１のサービス提供装置の前記第１のサービスを利用する第１のサービス利用工程とを実行し、
前記第１のサービス提供装置が、
前記転送工程によって転送された、前記設定工程で設定された前記ユーザ情報を保持している前記第２のサービスオブジェクトを受信する受信工程と、
前記受信工程で受信された前記第２のサービスオブジェクトに基づいて、前記第２のサービス提供装置の第２のサービスを利用する第２のサービス利用工程とを実行する。
【手続補正５】
【補正対象書類名】明細書
【補正対象項目名】００２５
【補正方法】変更
【補正の内容】
【００２５】
更に、上記の目的を達成するための本発明の他の態様による情報処理方法は、
ネットワークを介して、第１のサービス提供装置から提供される第１のサービスの利用のための第１のサービスオブジェクトと、前記第１のサービス提供装置とは異なる第２のサービス提供装置から提供される第２のサービスの利用のための第２のサービスオブジェクトとを取得する取得工程と、
前記取得工程で取得した前記第２のサービスオブジェクトに対してユーザ情報を設定する設定工程と、
前記第１のサービス提供装置の前記第１のサービスを前記第１のサービスオブジェクトを介して利用するために、前記設定工程で設定された前記ユーザ情報を保持している前記第２のサービスオブジェクトを、前記第１のサービス提供装置に転送する転送工程と、
前記第１のサービスオブジェクトを介して、前記第１のサービス提供装置の前記第１のサービスを利用するサービス利用工程とを備え、
前記第１のサービス提供装置は、前記転送工程によって転送された、前記ユーザ情報を保持している前記第２のサービスオブジェクトを受信し、受信した前記第２のサービスオブジェクトに基づいて前記第２のサービス提供装置による前記第２のサービスを利用する。